(57)【要約】【課題】複数の試料を連続して分析する自動分析装置において、作業効率を向上する。【解決手段】自動分析装置は、複数の試料を連続して分析する。自動分析装置は収納部と、検出部と、分析部と、制御部とを備える。収納部は、複数の試料をそれぞれ収納することが可能な複数の収納位置を含む。検出部は、複数の収納位置にそれぞれ収納された複数の試料の識別情報を検出する。分析部は、検出部による複数の試料の識別情報の検出の後に、複数の試料を分析する。制御部は、検出部から受信した複数の試料の識別情報を、検出識別情報として保持する。制御部は、分析対象に指定された複数の試料の識別情報を受信し、指定識別情報として保持するように構成される。制御部は、指定識別情報と検出識別情報とを比較し、両者が一致しないと判定した場合、分析部により分析が開始される前に警告を出力する報知手段を含む。【選択図】図８
2020060525.tif 000002
【特許請求の範囲】
【請求項１】
複数の試料を連続して分析する自動分析装置であって、
前記複数の試料をそれぞれ収納することが可能な複数の収納位置を含む収納部と、
前記複数の収納位置にそれぞれ収納された前記複数の試料の識別情報を検出する検出部と、
前記検出部による前記複数の試料の前記識別情報の検出の後に、前記複数の試料を分析する分析部と、
前記検出部および前記分析部を制御する制御部とを備え、
前記検出部は、検出した前記識別情報を前記制御部に出力し、
前記制御部は、前記検出部から受信した前記複数の試料の識別情報を、検出識別情報として保持するように構成され、
前記制御部は、さらに、分析対象に指定された複数の試料の識別情報を受信し、指定識別情報として保持するように構成され、
前記制御部は、前記指定識別情報と前記検出識別情報とを比較し、両者が一致しないと判定した場合、前記分析部により分析が開始される前に警告を出力するように構成された報知手段を含む、自動分析装置。
【請求項２】
前記分析部は、前記分析の前に前記複数の試料を前記分析に適した状態に前処理する前処理部を含み、
前記報知手段は、前記前処理部により前記前処理が開始される前に前記警告を出力する、請求項１に記載の自動分析装置。
【請求項３】
前記報知手段は、前記指定識別情報が存在する試料に対して、前記検出部において前記識別情報が検出できなかった場合、該試料の前記指定識別情報と共に該試料の前記検出識別情報が存在しないことを示す前記警告を報知する、請求項１または２のいずれか１項に記載の自動分析装置。
【請求項４】
前記報知手段は、前記検出部により前記識別情報が検出された試料に対して、前記指定識別情報が存在しない場合、該試料の前記検出識別情報と共に該試料の前記指定識別情報が存在しないことを示す前記警告を報知する、請求項１〜３のいずれか１項に記載の自動分析装置。
【請求項５】
前記識別情報は、前記試料が収納される試料容器に付された識別子を含む、請求項１〜４のいずれか１項に記載の自動分析装置。
【請求項６】
前記検出部は、前記試料を収納した前記試料容器に照射された光の反射光または透過光を検出し、
前記検出部は、前記反射光または透過光に基づいて、前記試料の有無または種類を検出するように構成される、請求項１〜５のいずれか１項に記載の自動分析装置。
【請求項７】
前記試料が液体である場合、
前記検出部は、前記試料の液面の状態を検出し、
前記検出部は、前記検出した前記液面の状態に基づいて、前記試料の有無または種類を検出するように構成される、請求項１〜６のいずれか１項に記載の自動分析装置。
【請求項８】
前記報知手段は、表示、音声出力および装置の物理的動作の少なくとも１つを用いて警告を出力するよう構成される、請求項１〜７のいずれか１項に記載の自動分析装置。
【請求項９】
前記報知手段は、前記警告を出力した後の前記自動分析装置の動作を決定するための選択肢を提示するように構成され、
前記制御部は、前記選択に基づいて前記自動分析装置の動作を制御する、請求項１〜８のいずれか１項に記載の自動分析装置。
【請求項１０】
前記動作は、分析開始、一時停止および分析中止という３つの状態を含む、請求項９に記載の自動分析装置。
【請求項１１】
前記自動分析装置は、液体クロマトグラフにより分離された試料成分をイオン化し、得られたイオンを開裂させて質量分析を行なうように構成された液体クロマトグラフ質量分析計である、請求項１〜１０のいずれか１項に記載の自動分析装置。
【発明の詳細な説明】
【技術分野】
【０００１】
本発明は、試料の定性・定量分析を行なう自動分析装置に関し、特に複数の試料を連続して分析する自動分析装置に関する。
【背景技術】
【０００２】
病院等での臨床検査において、血液、尿などの生体試料の検査や分析などを行なう際には、複数の患者から得られる複数の試料を連続して分析するように構成された自動分析装置が用いられている。そのような臨床検査用の自動分析装置として、たとえば液体クロマトグラフ質量分析計の一形態であるＬＣ−ＭＳ／ＭＳ（特開２０１５−１４８４６１号公報（特許文献１）参照）が知られている。
【先行技術文献】
【特許文献】
【０００３】
【特許文献１】特開２０１５−１４８４６１号公報
【発明の概要】
【発明が解決しようとする課題】
【０００４】
このような自動分析装置における試料の分析は、たとえば以下の手順で行なわれる。まず依頼者（たとえば医者）によって、分析対象に指定された試料の識別情報が、コンピュータ上のソフトウェアに入力される。次にソフトウェア上の指定に基づいて、作業者（たとえば検査技師）が、試料容器（以下、単に容器とも称する）に収納された試料を自動分析装置に収納する。続いて、自動分析装置内では、各種センサ（たとえばバーコードリーダ）を含む検出部によって試料（または容器）の識別子（たとえば容器に付されたバーコード）が読み取られ、識別情報が検出される。その後、自動分析装置は、収納された試料の分析（分析の前処理を含む）を開始する。
【０００５】
このような構成の自動分析装置において、分析対象に指定された試料を過不足なく収納することが、正しく分析を行なう上で重要である。しかしながら、従来の自動分析装置では、たとえば作業者の誤操作が原因で、分析対象に指定された試料と自動分析装置内に収納された試料とが一致しない場合における対策は定義されていなかった。このような構成において依頼者または作業者が上記試料の不一致に気づくのは、分析後に分析結果を確認する段階となり、追加の作業が生じ、作業効率が低下する虞があった。
【０００６】
この発明は、かかる課題を解決するためになされたものであり、その目的は、複数の試料を連続して分析する自動分析装置において、作業効率を向上させることである。
【課題を解決するための手段】
【０００７】
この発明のある局面に従う自動分析装置は、複数の試料を連続して分析する自動分析装置であって、収納部と、検出部と、分析部と、制御部とを備える。収納部は、複数の試料をそれぞれ収納することが可能な複数の収納位置を含む。検出部は、複数の収納位置にそれぞれ収納された複数の試料の識別情報を検出する。分析部は、検出部による複数の試料の識別情報の検出の後に、複数の試料を分析する。制御部は、検出部および分析部を制御する。検出部は、検出した識別情報を制御部に出力する。制御部は、検出部から受信した複数の試料の識別情報を、検出識別情報として保持する。制御部は、さらに、分析対象に指定された複数の試料の識別情報を受信し、指定識別情報として保持するように構成される。制御部は、指定識別情報と検出識別情報とを比較し、両者が一致しないと判定した場合、分析部により分析が開始される前に警告を出力するように構成された報知手段を含む。
【０００８】
上記自動分析装置によれば、収納部に収納された試料の識別情報が、分析対象に指定された試料の識別情報と一致しない場合、すなわち分析対象に指定された試料と収納部に収納された試料が一致しない場合には、分析開始前に警告が出力されるので、作業者は分析開始前に当該不一致に対応できる。したがって、誤って不適切な分析が行なわれる可能性を減らすことができる。また、この種の自動分析装置は、たとえば数百個レベルの試料を連続して分析することが想定されるため、すべての試料の分析後に誤った試料のみ分析しなおすことに比べ、作業時間のロス（たとえば数時間）を大幅に削減できることが期待される。
【０００９】
上記自動分析装置において好ましくは、分析部は、分析の前に複数の試料を分析に適した状態に前処理する前処理部を含む。報知手段は、前処理部により前処理が開始される前に警告を出力する。
【００１０】
上記自動分析装置によれば、収納部に収納された試料の識別情報が、分析対象に指定された試料の識別情報と一致しない場合、試料の前処理開始前に警告が出力されるので、作業者は前処理開始前に当該不一致に対応できる。したがって、誤って不適切な前処理およびそれに続く分析が行なわれる可能性が低減する。
【００１１】
上記自動分析装置において好ましくは、報知手段は、指定識別情報が存在する試料に対して、検出部において識別情報が検出できなかった場合、該試料の指定識別情報と共に該試料の検出識別情報が存在しないことを示す警告を報知する。
【００１２】
上記自動分析装置によれば、たとえばそもそも試料が収納部に収納されていない、または、容器の汚れ等により識別情報の検出が難しい場合に、分析開始前に作業者に警告するので、作業者は上記異常について分析開始前に対応できるため、作業効率が良くなる。
【００１３】
上記自動分析装置において好ましくは、報知手段は、検出部により識別情報が検出された試料に対して、指定識別情報が存在しない場合、該試料の検出識別情報と共に該試料の指定識別情報が存在しないことを示す警告を報知する。
【００１４】
上記自動分析装置によれば、たとえば分析対象に指定されていない試料が誤って収納部に収納されている場合に、分析開始前に作業者に警告するので、作業者は上記異常について分析開始前に対応できるため、作業効率が良くなる。
【００１５】
上記自動分析装置において好ましくは、複数の試料の識別情報は、試料が収納される試料容器に付された識別子を含む。
【００１６】
上記自動分析装置によれば、試料の識別子（たとえばバーコード）に１つまたは複数の情報をエンコードでき、該情報の読み出しも簡単であるので、情報管理がしやすい。
【００１７】
上記自動分析装置において好ましくは、検出部は、試料を収納した試料容器に照射された光の反射光または透過光を検出する。検出部は、反射光または透過光に基づいて、試料の有無または種類を検出するように構成される。
【００１８】
上記自動分析装置によれば、検出部（たとえばフォトセンサを含む）は、試料または試料容器の色、形状、大きさ等が反映された反射光または透過光を受け付ける。検出部は、反射光または透過光のパターンに基づいて、そこから試料の有無または試料の種類を検出することが可能である。
【００１９】
上記自動分析装置において好ましくは、試料が液体である場合、検出部は、試料の液面の状態を検出する。検出部は、検出した液面の状態に基づいて、試料の有無または種類を検出するように構成される。
【００２０】
上記自動分析装置によれば、たとえば液面検出センサを含む検出部は、液体の試料の液面を計測（たとえば静電容量または電気抵抗の計測、超音波による計測）し、検出結果に基づく信号を基に、試料の有無または試料の種類を自動で検出することが可能である。
【００２１】
上記自動分析装置において好ましくは、報知手段は、表示、音声出力および装置の物理的動作の少なくとも１つを用いて警告を出力するよう構成される。
【００２２】
上記自動分析装置によれば、作業者は視覚または聴覚に訴える警告を受けることができるので、容易かつ迅速に分析対象に指定された試料と収納部に収納された試料の不一致に気づくことができる。
【００２３】
上記自動分析装置において好ましくは、報知手段は、警告を出力した後の自動分析装置の動作を決定するための選択肢を提示するように構成される。制御部は、選択に基づいて自動分析装置の動作を制御する。
【００２４】
上記自動分析装置によれば、作業者は警告の内容に応じて警告を受けた後の自動分析装置の動作を、限られた適切な選択肢から選ぶことが可能であるため、効率的に作業を行なうことができる。
【００２５】
上記自動分析装置において好ましくは、動作は、分析開始、一時停止および分析中止という３つの状態を含む。
【００２６】
上記自動分析装置によれば、作業者は分析対象に指定された試料と収納部に収納された不一致が訂正すべきであるが、容易に訂正できることが見込まれる場合（たとえば少数の試料において、不一致が生じている場合等）、一時停止を選択して該不一致を解消した後、分析を開始できる。一方、作業者は該不一致が訂正すべきであり、かつ、容易には訂正できないと見込まれる場合（たとえば大部分の試料において、不一致が生じている場合等）、分析を中止する。さらに、該不一致が非常に軽微であり訂正しなくてもよいと見込まれる場合（たとえば分析指定はされていなかったが、状況からして分析しても差し支えない試料が少数収納されている等）、自動分析装置の運転を継続して、分析を開始する。以上のように、作業者は状況に応じて簡単にその後の行動を決めることができるので、作業を効率的に行なうことができる。
【００２７】
上記自動分析装置において好ましくは、自動分析装置は、液体クロマトグラフにより分離された試料成分をイオン化し、得られたイオンを開裂させて質量分析を行なうように構成された液体クロマトグラフ質量分析計である。
【００２８】
上記自動分析装置によれば、通常、一度に多数の試料（たとえば１００個程度）を質量分析する。従って、１個あたりの試料の分析が比較的時間のかからないもの（たとえば約３分）であっても、一回の分析（たとえば３００分程度）にかかる時間は長時間となる。従って、分析を開始する前に分析対象に指定された試料と収納部に収納された試料との一致を確認することで、もし不一致があった場合に再度長時間の分析を行なうことを避けることができ、作業を効率的に行なうことができる。
【発明の効果】
【００２９】
本発明によれば、複数の試料を連続して分析する自動分析装置において、分析対象に指定された試料と、実際に自動分析装置に収納された試料の不一致が生じた際に、分析開始前に警告を出すことで、作業効率を向上させることができる。
【図面の簡単な説明】
【００３０】
【図１】本発明の実施の形態に係る自動分析装置の構成を示す概略図である。
【図２】バーコードリーダを用いた識別情報の検出態様を説明する図である。
【図３】ＱＲコードリーダを用いた識別情報の検出態様を説明する図である。
【図４】フォトセンサを用いた識別情報の検出態様を説明する図である。
【図５】液面検出センサを用いた識別情報の検出態様を説明する図である。
【図６】収納部の収納位置に試料容器が収納されてない状態を説明する図である。
【図７】制御部による識別情報の確認処理を説明するフローチャートである。
【図８】検出識別情報と指定識別情報の不一致を警告する画面表示を説明するための図である。
【図９】自動分析装置の一時停止後に表示される画面表示を説明するための図である。
【発明を実施するための形態】
【００３１】
以下に、本発明の実施の形態について図面を参照して詳細に説明する。なお、以下では図中の同一または相当部分には同一の符号を付して、その説明は原則的に繰返さないものとする。
【００３２】
［実施の形態１］
図１は、本発明の実施の形態に係る自動分析装置１００の構成を示す概略図である。本実施の形態では、臨床検査において複数の試料を連続して分析するために用いられる自動分析装置の一例として、液体クロマトグラフ質量分析計の一形態であるＬＣ−ＭＳ／ＭＳを、自動分析装置１００として示す。
【００３３】
図１を参照して、自動分析装置１００は、コントローラ１、収納部２、前処理部６、検出部３０、液体クロマトグラフ７および質量分析部８を備える。
【００３４】
収納部２は、複数の収納位置２２を含む。各収納位置２２は、所定の容器４０（以下、試料容器とも称する）に収納される血液、尿などの試料を、作業者（たとえば検査技師）により１つずつ収納することが可能なように構成される。以降、説明の簡単のため、単に「試料」と表記すると、容器を含めた試料のことを指す。また、上記収納位置２２への試料の収納は、機械（搬送システム）で自動的に行なうように構成してもよく、その場合は上記機械を監督する者は作業者となる。
【００３５】
収納部２は円盤状の回転体であり、１つの試料に対する操作（たとえば、後述する識別情報の抽出、試料の採取、試薬の追加）行なわれると、次の試料の操作を行なうために、所定の角度だけ回転（矢印２３参照）するように構成される。収納部２は、後述するコントローラ１の制御部１３により制御される。なお、収納部の形状および動作は円盤状の回転体に限定されず、連続して複数の試料を分析するのに適したものであればよい。
【００３６】
検出部３０は、複数の収納位置２２の各々に収納された試料の識別情報を検出する。試料の識別情報とは、試料を特定するための情報であり、試料が採取された分析対象（たとえば患者）のＩＤ、試料を採取した日時、試料の種類（たとえば、尿、血液）および分析項目のうちの少なくとも１つを含めることができる。
【００３７】
試料の識別情報は、たとえば、容器４０に付された識別子（例えば、バーコード、ＱＲコード（登録商標）、ＩＣチップ）を基に検出することができる。
【００３８】
なお、試料の種類については、試料に光を照射したときの反射光または透過光の情報を基に特定することもできる。これは、反射光または透過光は、試料の色、形、大きさなどを反映するためである。
【００３９】
検出部３０は、検出器３と識別情報検出部３５とを有する（図２参照）。
検出器３は後述の態様で試料の情報を検出する。識別情報検出部３５は、該試料の情報から、識別情報を検出し、コントローラ１に出力する。コントローラ１は、後述するように、検出部３０から受信した試料の識別情報を「検出識別情報」として保持する。検出識別情報は、依頼者または作業者によって、収納部２に収納された試料を特定するために用いられる識別情報である。なお、識別情報検出部３５は、検出部３０ではなく、コントローラ１（制御部）に含まれるように構成してもよい。
【００４０】
以下に、図２から図５を参照して、検出器３の典型的な例として、バーコードリーダ３Ａ（図２）、ＱＲコードリーダ３Ｂ（図３）、フォトセンサ３Ｃ（図４）、液面検出センサ３Ｄ（図５）を用いた例を示す。なお、これら検出器の構成はいずれも公知であるため、その詳細は説明しない。
【００４１】
図２は、バーコードリーダを用いた識別情報の検出態様を説明する図である。図２において、検出器３Ａはバーコードリーダであって、容器４０に付されたバーコード４１を読み取るように構成される。具体的には、バーコードリーダ３Ａの光源３３からバーコード４１に光３１が照射され、その反射光３２がバーコードリーダ３Ａの受光素子３４に受け取られることで、バーコードのパターンが読み取られる。バーコードは「試料容器に付された識別子」の一実施例に対応する。受光素子３４は、該バーコードのパターンの情報を識別情報検出部３５に出力し、識別情報検出部３５は該バーコードのパターンの情報を識別情報に変換する。
【００４２】
図３は、ＱＲコードリーダを用いた識別情報の検出態様を説明する図である。図３において、検出器３ＢはＱＲコードリーダであって、容器４０に付された識別子であるＱＲコード（登録商標）を読み取るように構成される。
【００４３】
図４は、フォトセンサを用いた識別情報の検出態様を説明する図である。図４において、検出器３Ｃはフォトセンサであって試料に光を照射し、試料４５または容器４０の色、形、大きさ等の情報を反映した反射光または透過光を検出する。検出器３は、該検出した反射光または透過光に基づく信号を、識別情報検出部３５に出力する。識別情報検出部３５は、上記信号を基に、試料４５の有無または種類を検出する。たとえば、制御部１３は、試料４５の色に基づく信号から、試料４５の種類（たとえば尿、血液等）または有無を検出することができる。
【００４４】
図５は、液面検出センサを用いた識別情報の検出態様を説明する図である。図５において、検出器３Ｄは液面検出センサであって、電気的特性の計測、または、超音波等を用いて、試料４５の液面の状態を検知する。たとえば検出器３Ｄが超音波式液面検出センサである場合、検出器３Ｄは、試料の液面に対して超音波を発信し、液面からの反射波の有無や到達時間により、試料の有無および量を判定できる。検出器３Ｄは、検知した該液面の状態に基づく信号を、識別情報検出部３５に出力する。識別情報検出部３５は、該信号を基に、試料４５の有無または種類を検出する。たとえば、識別情報検出部３５は、該液面が検知されなかったことを示す信号から、容器４０内に試料が存在しないことを検出する。
【００４５】
再び図１を参照して、前処理部６は、検出部３０による上記識別情報の検出の後、後述する液体クロマトグラフ７および質量分析部８による分析の前に、試料を分析に適した状態に前処理する。たとえば、試料中のタンパク質の変性、不純物の除去、目的成分の抽出、誘導体化、希釈、濃縮、酵素処理、遠心分離が行なわれる。前処理部６は後述する液体クロマトグラフ７および質量分析部８と同様に、「分析部」の一実施例に対応する。よって、本願明細書の「分析」には、前処理部６による前処理も含まれることとする。
【００４６】
液体クロマトグラフ７は、図示しないカラムを備えた公知の構成である。液体クロマトグラフ７のカラムに供給された試料は、当該カラムを通過する過程で試料成分ごとに分離され、真空状態の質量分析部８に順次導かれて質量分析が行なわれる。これにより、カラムに保持される時間に応じて異なるクロマトグラムが得られる。
【００４７】
質量分析部８は、液体クロマトグラフ７からの各試料成分をイオン化し、当該イオンを電場をかけた真空空間を飛行させ質量電荷比に応じて選択的に選別し、ＣＩＤ（衝突誘起解離）により通過してきたイオンを開裂させ、さらに電場をかけた真空空間を飛行させてＣＩＤで生成されたイオンを選別し、イオンの数を連続的に検出し、クロマトグラムを形成する。クロマトグラムから試料に含まれる成分を定量的に測定する。また、電場空間に加える電流、電圧を素早く切り替えることで質量電荷比と検出強度のスペクトルを測定し、スペクトルのパターンをデータベースと照合し試料成分を同定することができる。
【００４８】
コントローラ１は、「制御部」の一実施例に対応し、検出部３０、および分析部に含まれる前処理部６、液体クロマトグラフ７および質量分析部８を制御する。コントローラ１は、制御部１３、記憶部１５、表示部１１、音声出力部１２および検出器コントローラ１４を含む。
【００４９】
表示部１１は、作業者への情報を画像および文字で表示するように構成され、たとえば液晶ディスプレイである。音声出力部１２は、作業者への情報を音声で出力し、たとえばスピーカである。表示部１１および音声出力部１２は、後述する「報知手段」の一実施例に対応する。
【００５０】
記憶部１５は、制御部１３から入力される情報を保持し、保持した情報を制御部１３へ出力することが可能なように構成される。記憶部１５は、たとえば不揮発性メモリで構成される。
【００５１】
検出器コントローラ１４は、検出部３０から入力された試料の識別情報を示す電気信号を制御部１３に出力するように構成される。この際、検出器コントローラ１４は、該電気信号を制御部１３への送信に適した形に適宜変換するように構成してもよい。また、検出器コントローラ１４は、制御部１３の信号を受けて、検出部３０を制御する。
【００５２】
制御部１３は、収納部２、検出部３０、前処理部６、液体クロマトグラフ７、質量分析部８、表示部１１、音声出力部１２、記憶部１５および検出器コントローラ１４を制御する。制御部１３は、たとえばＣＰＵ（Central  Processing  Unit）およびメモリで構成される。
【００５３】
制御部１３は、検出器コントローラ１４からの上記信号を受信した後、当該信号を検出識別情報に変換し保持する。検出識別情報は、たとえば試料を採取した個人のＩＤ、試料を採取した日時、試料の種類（たとえば尿、血液）および分析項目のうちの少なくとも１つを含めることができる。また、制御部１３は、当該検出識別情報を必要に応じて記憶部１５に出力し、記憶させる。
【００５４】
制御部１３は、外部から分析する試料の指定を受け付けるように構成される。図１では、制御部１３は、外部のコンピュータ９１と有線または無線で通信を行なうように構成される。コンピュータ９１はさらにサーバ９２と有線または無線で通信するように構成してもよい。分析を指定する依頼者（たとえば医者）は、パソコンまたは電子カルテ上のソフトウェアを用いて、分析したい試料および分析項目を指定する。ソフトウェア上で指定された試料の識別情報は「指定識別情報」として、サーバ９２を介してコンピュータ９１に送信される。
【００５５】
指定識別情報は、依頼者または作業者によって、分析対象に指定された試料を特定するために用いられる識別情報である。
【００５６】
そして、分析を実行する作業者は、コンピュータ９１上の指定識別情報を基に、自動分析装置１００の収納部２に、分析する試料を収納する。この収納部２への分析する試料の収納は、作業者が手作業で行なう構成にしてもよいし、機械（搬送システム）が自動的に行なう構成にしてもよい。また、コンピュータ９１は、コントローラ１の制御部１３にも、指定識別情報を送信する。
【００５７】
なお、制御部１３が、指定識別情報を受け付ける態様は、上記の例に限定されず、たとえば、サーバ９２から制御部１３に直接指定識別情報を送信するように構成してもよい。または、自動分析装置１００にタッチパネル等の情報入力手段を設けて、指定識別情報を依頼者または作業者が直接入力し、制御部１３に指定識別情報を送信するようにしてもよい。また、たとえば、依頼者の指定した試料の識別情報をリスト化した指定識別情報リストを、ファイルとしてコンピュータ９１または制御部１３に読み込むように構成してもよい。
【００５８】
このような構成の自動分析装置において、正しく分析を行なうためには、分析対象に指定された試料が、作業者により収納部２に漏れなく、かつ、適切に収納されていることが重要である。換言すると、試料の指定識別情報と検出識別情報とが一致（以下、「識別情報一致」とも称する）していることが重要である。
【００５９】
しかし、以下のような場合は、試料の指定識別情報と検出識別情報の不一致（以下、「識別情報不一致」とも称する）が生じてしまう。
【００６０】
まず、指定識別情報に対応する検出識別情報が存在しないことによる、識別情報不一致が生じる場合を説明する。このような場合は、分析対象に指定された試料が収納部２に収納されていないケースであり、たとえば、作業者が収納部２に、依頼者に分析を指定されている試料を収納し忘れることで生じる。
【００６１】
図６は、図２と対比される図であり、収納部２の収納位置２２に試料が収納されてない状態を説明する図である。図６においては、収納位置２２に試料容器４０に付されたバーコード４１が存在しないため、検出器３Ａはバーコード４１の読み取りが行なえない。また、検出器３Ａは、容器４０の収納位置がずれていてバーコード４１が読めないとき、または、容器４０が正しく収納されていてもバーコード４１が付されていない、もしくはバーコード４１の位置がずれている、汚れている、歪んでいるときにも、バーコード４１を読み取れない。換言すると、検出部３０により試料の識別情報が検出できない事態が生じる。このような場合、指定識別情報に対応する検出識別情報は存在しない。よって、指定識別情報と検出識別情報は一致しないので、識別情報不一致となる。
【００６２】
次に、検出識別情報に対応する指定識別情報が存在しないことによる、識別情報不一致が生じる場合を説明する。このような場合は、分析対象に指定されていない試料が収納部２に収納されているケースであり、たとえば作業者が収納部２に、本来分析を指定されていない試料を誤って収納してしまうことで生じる。このような場合、誤って収納された試料の識別情報が、検出部３０によって読み取られるため、検出識別情報に対応する指定識別情報は存在しない。換言すると、検出部３０により識別情報が検出された複数の試料のうち１つまたは複数の試料に対して、指定識別情報が存在しない事態が生じる。このような場合、指定識別情報と検出識別情報は一致しないので、「識別情報不一致」となる。
【００６３】
従来の自動分析装置では、このような識別情報不一致が生じたときの対策は特にとられていなかった。そのため、分析依頼者または作業者が識別情報不一致に気づくのが、分析終了後に分析結果を見直す段階となる場合があった。このような場合、全ての試料の終了後に、識別情報不一致が生じた試料の再分析が必要となり、余分な時間と手間が生じる虞があった。さらには、作業者および依頼者のいずれもが識別情報不一致に気づかず、必要な分析が行なわれない虞もあった。
【００６４】
そこで、本実施の形態に係る自動分析装置１００では、試料の収納の場面で、指定識別情報と検出識別情報の不一致が生じたときには、作業者に警告する。このような構成により、作業者が分析開始前に当該不一致に対応することを可能にし、作業効率を向上させる。
【００６５】
以下、図７を用いて、本発明の実施の形態に係る自動分析装置１００のコントローラ１の制御部１３における、指定識別情報と検出識別情報との一致の確認の処理を説明する。図７は、制御部１３による識別情報の確認処理を説明するフローチャートである。図７のフローチャートは、収納部２への試料の収納が全て完了した後に実行される。
【００６６】
図７を参照して、コントローラ１の制御部１３は、ステップＳ０１により、検出器コントローラ１４から、検出部３０により検出された試料の識別情報を示す信号を受信する。制御部１３は、さらに、ステップＳ０２で、該信号から識別情報が適切に読み取られているかを判定する。
【００６７】
制御部１３は、なんらかの原因（たとえば、バーコードが汚れている、はがれている）で、識別情報が適切に読み取られていないと判定すると（ステップＳ０２にてＮＯ）、ステップＳ０３に進む。ステップＳ０３において、制御部１３は、記憶部１５に識別情報が適切に読み取られなかったこと、および、その結果として識別情報不一致が生じたことを記憶させる。制御部１３は、続いて、ステップＳ０８に進む。
【００６８】
一方、制御部１３は、識別情報が適切に読み取られていると判定すると（ステップＳ０２にてＹＥＳ）、ステップＳ０４に進み、読み取った識別情報を検出識別情報として、記憶部１５に記憶させる。
【００６９】
制御部１３は、続いて、ステップＳ０５で、該検出識別情報に対応する指定識別情報の有無を判定する。制御部１３は、識別情報が検出された試料が、依頼者によって分析対象に指定されていなかった場合、対応する指定識別情報が存在しないので（ステップＳ０５にてＮＯ）、ステップＳ０６に進む。ステップＳ０６において、制御部１３は記憶部１５に、当該試料の検出識別情報、対応する指定識別情報が存在しないこと、および、その結果として識別情報不一致が生じたことを記憶するように制御する。制御部１３は、続いてステップＳ０８に進む。
【００７０】
一方、制御部１３は、検出された試料が、依頼者によって分析対象に指定されていた場合、対応する指定識別情報が存在するので（ステップＳ０４にてＹＥＳ）、制御部１３はステップＳ０７に進む。制御部１３は、ステップＳ０７において、記憶部１５に、識別情報一致を記憶するように制御する。制御部１３は、続いてステップＳ０８に進む。
【００７１】
制御部１３は、ステップＳ０８において、収納部２の全ての収納位置２２において試料の識別情報の検出が実行されたかを判定する。未だ検出が実行されていない収納位置２２が有る場合（ステップＳ０８にてＹＥＳ）、制御部１３は、ステップＳ０１に戻り、次の試料に対して処理を繰り返す。
【００７２】
一方、収納部２の全ての収納位置２２において試料の識別情報の検出が実行された場合（ステップＳ０８にてＮＯ）、制御部１３は、ステップＳ０９に進む。ステップＳ０９において、制御部１３は、依頼者から分析を指定された試料４５の中に、いまだ検出部３０により識別情報を検出されていない試料は有るか、すなわち未検出の指定識別情報はあるか否かを判定する。未検出の指定識別情報が無い場合（ステップＳ０９にてＮＯ）、制御部１３はステップＳ１１に進む。
【００７３】
一方、未検出の指定識別情報がある場合（ステップＳ０９にてＹＥＳ）、制御部１３はステップＳ１０に進む。ステップＳ１０において、制御部１３は、当該未検出の試料の識別情報と、識別情報不一致が生じたことを記憶する。続いて、制御部１３は、ステップＳ１１に進む。
【００７４】
制御部１３は、ステップＳ１１において、識別情報不一致が生じたか否かを判定する。識別情報不一致が生じていない場合、すなわち分析対象に指定された試料の全てが適切に収納されており、分析対象に指定されていない試料は全く収納されていない場合（ステップＳ１１にてＮＯ）、制御部１３は、ステップＳ１５にて分析開始を指令し、処理を終了する。
【００７５】
一方、制御部１３は、識別情報不一致が生じた場合（ステップＳ１１にてＹＥＳ）、作業者に識別情報不一致が生じたことを警告する。続いて、制御部１３は、ステップＳ１３で、作業者に続く自動分析装置１００の動作の選択（たとえば、一時停止、分析中止、分析開始）を促す報知を表示部１１で行なうように制御する。
【００７６】
図８は、検出識別情報と指定識別情報の不一致を警告する画面表示を説明するための図である。図８では、コントローラ１の表示部１１で識別情報の不一致が生じたことの警告が表示されている。また、不一致が生じたケースＮｏ．１〜Ｎｏ．３に対して、それぞれ、不一致が生じた容器４０を収納する収納位置２２の番号、検出識別情報、指定識別情報、不一致の内容が記載されている。なお、該当する情報が存在しない欄には、情報が表示されていない。
【００７７】
ケースＮｏ．１では、検出部３０により識別情報が検出された試料に対して、指定識別情報が存在しない場合、該試料の検出識別情報と共に該試料の指定識別情報が存在しないことを示す警告が報知されている。ケースＮｏ．２では、指定識別情報が存在する試料に対して、検出部３０において識別情報が検出できなかった場合、該試料の指定識別情報と共に該試料の検出識別情報が存在しないことを示す警告が報知されている。
【００７８】
また、図８では、警告を出力した後の自動分析装置１００の動作を決定するためのの選択肢を提示し、作業者に選択を促す報知も提示されている。当該報知を基に、作業者は、自動分析装置１００の運転の一時停止、分析中止、分析開始のいずれかを選択できる。制御部１３は、上記選択に基づいて自動分析装置１００の動作を制御する。
【００７９】
なお、識別情報不一致の警告、および、動作の選択を促す報知は図８のように同時に行なわれてもよいし、時間的に連続して行なわれてもよい。また当該警告および当該報知を行なう手段（報知手段）は画面表示に限らず、たとえばコントローラ１の音声出力部１２からの聴覚的報知であってもよい。さらに報知手段は、たとえば自動分析装置１００の各部の物理的動作（たとえば、収納部２のカバーが開き、試料の確認を促す）であってもよい。すなわち、報知手段は、表示、音声出力、および装置の物理的動作の少なくとも１つで警告を出力するよう構成される。
【００８０】
さらに、該報知手段による、当該警告および当該報知を実施する実体は、コントローラ１の各部に限らず、たとえば、自動分析装置１００のその他の部分、コンピュータ９１のように制御部１３と通信可能な部分であればどこでもよい。
【００８１】
このように、本実施の形態に従う制御部１３は、指定識別情報と検出識別情報とを比較し、両者が一致しないと判定した場合、分析部により分析が開始される前に警告を出力する報知手段を含む。さらに、報知手段は、警告を出力した後の自動分析装置１００の動作を決定するために、一時停止、分析中止、分析開始を含む選択肢を提示する。コントローラ１は、選択に基づいて自動分析装置１００の動作を制御する。
【００８２】
ここで、作業者が自動分析装置１００の運転の一時停止、分析中止、分析開始を選択できることで生じる利点を説明する。
【００８３】
識別情報不一致が訂正すべきであるが、該訂正が容易である場合、作業者は一時停止を選択し該訂正を行なうことができる。たとえば分析を指定されていない試料の収納が検出されている場合、作業者は該試料を取り除くことができる。また、分析を指定された試料の自動分析装置１００への収納が検出されなかったが、作業者に該試料が存在する場所に心当たりがある場合、作業者は該試料を容易に入手し、収納部に収納することができる。以上のように、識別情報不一致の訂正が容易である場合、自動分析装置１００を一時停止して該訂正を行なうことで、短い時間で正しく試料の分析を行なうことができる。
【００８４】
なお、一時停止後には、自動分析装置１００において運転を再開して分析を開始する、または分析を中止することが想定されるので、一時停止が選択された場合、図９のように、分析開始または分析中止を選択する手段を提示してもよい。図９は、自動分析装置１００の一時停止後に表示される画面表示を説明するための図である。分析作業者は、一時停止中に識別情報不一致を訂正した後、分析開始するか、分析中止するかを選択することができる。
【００８５】
一方、識別情報不一致が訂正すべきであるが、該訂正が容易でない場合、または、分析を中止する必要が生じるほど重大なものであった場合、作業者は分析を中止できる。たとえば、大部分の試料に不一致が生じていて訂正することに時間がかかる場合、および、該大規模な不一致の根本的な原因を探る必要がある場合がこれにあたる。
【００８６】
さらに、試料の不一致が必ずしも訂正すべき不一致でないと考えられる場合、作業者は分析開始を選択することで、そのまま分析を開始することができる。たとえば、予め遅れて当該自動分析装置１００に搬送されてくることがわかっており、同時に分析を指定されていた試料と順序を逆にしても差支えが無い場合が考えられる。他の例としては、収納部２の容量に余裕があり、次の（追加の）分析指定に含まれる可能性のある試料である場合が考えられる。
【００８７】
再び図７を参照して、ステップＳ１３で動作の選択を促す報知を指令した後、制御部１３は、ステップＳ１４において、作業者の選択を示す信号を入力される。続いて、ステップＳ１５において、制御部１３は、分析開始が選択されたか否かを判定する。分析開始が選択された場合（ステップＳ１５にてＹＥＳ）、制御部１３はステップＳ１６において、分析を開始し、処理を終了する。
【００８８】
一方、分析開始以外が選択された場合（ステップＳ１５にてＮＯ）、制御部１３は、ステップＳ１７において一時停止が選ばれたか否かを判定する。一時停止が選ばれた場合（ステップＳ１７にてＹＥＳ）、制御部１３は、ステップＳ１５に処理を戻す。制御部１３は、一時停止が解除されるまで、ステップＳ１５とステップＳ１７のループを繰り返す。
【００８９】
一方、一時停止が選択されなかった場合（ステップＳ１７にてＮＯ）、分析中止が選択されたことになるので、制御部１３は、自動分析装置１００において分析を実行することなく、処理を終了する。
【００９０】
以上に説明したように、本実施の形態に係る自動分析装置１００は、分析を指定された試料と、実際に自動分析装置１００に収納された試料とが一致しない場合、分析を開始する前に作業者に警告することができる。よって、作業者は、該不一致に分析開始前に対応できるので、作業効率を向上させることができる。
【００９１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９２】
１  コントローラ、２  収納部、３  検出器、３Ａ  バーコードリーダ、３Ｂ  ＱＲコードリーダ、３Ｃ  フォトセンサ、３Ｄ  液面検出センサ、６  前処理部、７  液体クロマトグラフ、８  質量分析部、１１  表示部、１２  音声出力部、１３  制御部、１４  検出器コントローラ、１５  記憶部、２２  収納位置、２３  矢印、３０  検出部、３１  光、３２  反射光、３３  光源、３４  受光素子、３５  識別情報検出部、４０  試料容器、４１  バーコード、４５  試料、９１  コンピュータ、９２  サーバ、１００  自動分析装置。 
【図１】
2020060525.tif 000003
【図２】
2020060525.tif 000004
【図３】
2020060525.tif 000005
【図４】
2020060525.tif 000006
【図５】
2020060525.tif 000007
【図６】
2020060525.tif 000008
【図７】
2020060525.tif 000009
【図８】
2020060525.tif 000010
【図９】
2020060525.tif 000011